(57)【要約】【課題】  天井貫通孔を縮小しつつ、さらなる薄型化を図ることが可能なＬＥＤ照明装置を提供すること。【解決手段】  各々がＬＥＤチップ２１を含む複数のＬＥＤ発光部２と、複数のＬＥＤ発光部２に電力を供給する電源部５と、を備え、天井面８１に対して固定されるＬＥＤ照明装置Ａ１であって、複数のＬＥＤ発光部２は、そのすべてが天井面８１よりも室内側に位置し、電源部５の少なくとも一部は、天井面８１よりも室外側に位置している。【選択図】  図４
2016219335.tif 000002
【特許請求の範囲】
【請求項１】
各々がＬＥＤチップを含む複数のＬＥＤ発光部と、
前記複数のＬＥＤ発光部に電力を供給する電源部と、を備え、
天井面に対して固定されるＬＥＤ照明装置であって、
前記複数のＬＥＤ発光部は、そのすべてが前記天井面よりも室内側に位置し、
前記電源部の少なくとも一部は、前記天井面よりも室外側に位置していることを特徴とする、ＬＥＤ照明装置。
【請求項２】
前記複数のＬＥＤ発光部を収容するケースと、
前記ＬＥＤ発光部からの光を透過させる透光カバーと、をさらに備えており、
前記ケースのうち前記天井面よりも室内側に位置する部分と前記透光カバーとによって室内部が構成されている、請求項１に記載のＬＥＤ照明装置。
【請求項３】
前記室内部は、平面視円形状である、請求項２に記載のＬＥＤ照明装置。
【請求項４】
前記透光カバーは、前記複数のＬＥＤ発光部からの光を拡散させつつ透過させる、請求項３に記載のＬＥＤ照明装置。
【請求項５】
前記ケースは、金属からなる部位を有する、請求項３または４に記載のＬＥＤ照明装置。
【請求項６】
前記電源部は、外部の電源供給経路との接続がなされる接続部と、
前記接続部にて受けた電力を、前記複数のＬＥＤ発光部に適した電力に変換するための電力変換部と、を有する、請求項３ないし５のいずれかに記載のＬＥＤ照明装置。
【請求項７】
前記接続部は、そのすべてが前記天井面よりも室外側に位置している、請求項６記載のＬＥＤ照明装置。
【請求項８】
前記電力変換部は、そのすべてが前記天井面よりも室外側に位置している、請求項６または７ＬＥＤ照明装置。
【請求項９】
前記電力変換部は、その一部が前記天井面よりも室外側に位置しており、他の一部が前記天井面よりも室内側に位置している、請求項６または７に記載のＬＥＤ照明装置。
【請求項１０】
前記電源部は、平面視において前記室内部の中心に重なる、請求項６ないし９のいずれかに記載のＬＥＤ照明装置。
【請求項１１】
前記電源部は、平面視において前記室内部の中心を避けた位置に設けられている、請求項６ないし９のいずれかに記載のＬＥＤ照明装置。
【請求項１２】
前記電力変換部は、前記天井面と直角である方向において、前記接続部と前記室内部との間に位置している、請求項６ないし１１のいずれかに記載のＬＥＤ照明装置。
【請求項１３】
前記接続部は、前記電力変換部に対して、移動が阻止された状態で支持されている、請求項１２に記載のＬＥＤ照明装置。
【請求項１４】
前記接続部は、前記電力変換部に対して、移動可能に支持されている、請求項１２に記載のＬＥＤ照明装置。
【請求項１５】
前記接続部は、ばね部材を介して前記電力変換部に支持されている、請求項１４に記載のＬＥＤ照明装置。
【請求項１６】
前記接続部および前記電力変換部は、前記天井面よりも室外側に位置しており、且つ平面視において前記室内部を避けた位置に設けられている、請求項６に記載のＬＥＤ照明装置。
【請求項１７】
前記室内部と前記電力変換部とを接続する接続ケーブルを更に備える、請求項１６に記載のＬＥＤ照明装置。
【請求項１８】
前記電力変換部および前記接続部は、平面視において互いに異なる位置において前記室内部に対して各別に固定されている、請求項６に記載のＬＥＤ照明装置。
【請求項１９】
前記電力変換部および前記接続部は、前記室内部の同一直径上において、前記室内部の中心を挟んで互いに反対側に配置されている、請求項１８に記載のＬＥＤ照明装置。
【請求項２０】
前記室内部を前記天井面に固定するための一対のねじを有する、請求項６ないし１９のいずれかに記載のＬＥＤ照明装置。
【請求項２１】
前記一対のねじは、前記室内部の同一直径上において、前記室内部の中心を挟んで互いに反対側に配置されている、請求項２０に記載のＬＥＤ照明装置。
【請求項２２】
前記天井面には、前記電源部を挿通させるための円形の天井貫通孔が形成されている、請求項３ないし２１のいずれかに記載のＬＥＤ照明装置。
【請求項２３】
前記天井貫通孔の直径は、前記室内部の直径の１０％〜５０％である、請求項２２に記載のＬＥＤ照明装置。
【請求項２４】
前記天井貫通孔の直径は、２５ｍｍ〜５０ｍｍである、請求項２２または２３に記載のＬＥＤ照明装置。
【請求項２５】
前記室内部の前記天井面からの突出高さは、前記室内部の直径の５％〜２５％である、請求項２２ないし２４のいずれかに記載のＬＥＤ照明装置。
【請求項２６】
前記室内部の前記天井面からの突出高さは、１０ｍｍ〜２０ｍｍである、請求項２２ないし２５のいずれかに記載のＬＥＤ照明装置。
【請求項２７】
前記複数のＬＥＤ発光部が搭載されたＬＥＤ基板を備える、請求項３ないし２６のいずれかに記載のＬＥＤ照明装置。
【請求項２８】
前記ＬＥＤ基板は、前記天井面よりも室内側に位置している、請求項２７に記載のＬＥＤ照明装置。
【請求項２９】
前記複数のＬＥＤ発光部は、前記ＬＥＤ基板に面実装されている、請求項２７または２８に記載のＬＥＤ照明装置。
【請求項３０】
前記複数のＬＥＤ発光部は、同心円状に配置されている、請求項２９に記載のＬＥＤ照明装置。
【請求項３１】
前記ＬＥＤ基板は、平面視円形状である、請求項３０に記載のＬＥＤ照明装置。
【請求項３２】
前記複数のＬＥＤ発光部は、各々が前記ＬＥＤチップ、このＬＥＤチップを覆う透光樹脂、および実装端子を有する、請求項２７ないし３１のいずれかに記載のＬＥＤ照明装置。
【請求項３３】
前記透光樹脂は、前記ＬＥＤチップからの光によって励起されることにより前記ＬＥＤチップからの光とは異なる波長の光を発する蛍光材料が混入されている、請求項３２に記載のＬＥＤ照明装置。
【請求項３４】
各々がＬＥＤチップを含む複数のＬＥＤ発光部と、
第１の面と第２の面とを有し、前記第１の面上に前記複数のＬＥＤ発光部が搭載されたＬＥＤ基板と、
前記ＬＥＤ基板の第２の面側に形成され、前記複数のＬＥＤ発光部に電力を供給する電源部と、を備えたＬＥＤ照明装置であって、
前記ＬＥＤ基板の第２の面と垂直方向からの平面視において、前記電源部は前記ＬＥＤ基板内に包含されており、前記電源部と少なくとも前記複数のＬＥＤ発光部の一部とが重なっていることを特徴とするＬＥＤ照明装置。
【請求項３５】
前記ＬＥＤ基板を前記第２の面側から保持する主板部と、
前記主板部に接続されて前記電源部の少なくとも一部を収容する筒状部と、
を備え、
前記筒状部は、前記ＬＥＤ基板の第２の面と垂直方向からの平面視において前記電源部を覆い且つ前記基板内に包含されている、請求項３４に記載のＬＥＤ照明装置。
【請求項３６】
前記ＬＥＤ発光部からの光を拡散させつつ透過させる透光カバーを備える、請求項３４または３５に記載のＬＥＤ照明装置。
【発明の詳細な説明】
【技術分野】
【０００１】
本発明は、天井面に対して固定されるＬＥＤ照明装置に関する。
【背景技術】
【０００２】
ＬＥＤチップを光源として用いた様々なＬＥＤ照明装置が提案されている。特許文献１には、いわゆるダウンライトとして用いられるＬＥＤ照明装置が開示されている。このＬＥＤ照明装置は、複数のＬＥＤチップおよびこれらのＬＥＤチップを点灯させるための電源部を備えている。複数のＬＥＤチップおよび電源部は、天井面よりも室内とは反対側の室外側に配置されている。このような配置を実現するために、天井面には天井貫通孔が設けられている。この天井貫通孔は、複数のＬＥＤチップからの光を通過させる必要がある。このため、天井貫通孔は、平面視においてＬＥＤ照明装置を略内包する程度の大きさとされる。このような天井貫通孔は、天井が果たすべき断熱機能を低下させるという問題がある。
【０００３】
特許文献２には、他の方式のＬＥＤ照明装置が開示されている。当該ＬＥＤ照明装置においては、複数のＬＥＤチップと電源部とが、いずれも天井面よりも室内側に配置されている。このため、天井面には、たとえば給電ケーブルを通過させる程度の天井貫通孔を設ければよい。しかしながら、複数のＬＥＤチップおよび電源部が室内側に位置するため、当該ＬＥＤ照明装置は、室内側に大きく突出するものとならざるを得ない。
【先行技術文献】
【特許文献】
【０００４】
【特許文献１】特開２０１５−６０８３２号公報
【特許文献２】特開２０１５−６４９４７号公報
【発明の概要】
【発明が解決しようとする課題】
【０００５】
本発明は、上記した事情のもとで考え出されたものであって、天井貫通孔を縮小しつつ、さらなる薄型化を図ることが可能なＬＥＤ照明装置を提供することをその課題とする。
【課題を解決するための手段】
【０００６】
本発明の第１の側面によって提供されるＬＥＤ照明装置は、各々がＬＥＤチップを含む複数のＬＥＤ発光部と、前記複数のＬＥＤ発光部に電力を供給する電源部と、を備え、天井面に対して固定されるＬＥＤ照明装置であって、前記複数のＬＥＤ発光部は、そのすべてが前記天井面よりも室内側に位置し、前記電源部の少なくとも一部は、前記天井面よりも室外側に位置していることを特徴としている。
【０００７】
本発明の好ましい実施の形態においては、前記複数のＬＥＤ発光部を収容するケースと、前記ＬＥＤ発光部からの光を透過させる透光カバーと、をさらに備えており、前記ケースのうち前記天井面よりも室内側に位置する部分と前記透光カバーとによって室内部が構成されている。
【０００８】
本発明の好ましい実施の形態においては、前記室内部は、平面視円形状である。
【０００９】
本発明の好ましい実施の形態においては、前記透光カバーは、前記複数のＬＥＤ発光部からの光を拡散させつつ透過させる。
【００１０】
本発明の好ましい実施の形態においては、前記ケースは、金属からなる。
【００１１】
本発明の好ましい実施の形態においては、前記電源部は、外部の電源供給経路との接続がなされる接続部と、前記接続部にて受けた電力を、前記複数のＬＥＤ発光部に適した電力に変換するための電力変換部と、を有する。
【００１２】
本発明の好ましい実施の形態においては、前記接続部は、そのすべてが前記天井面よりも室外側に位置している。
【００１３】
本発明の好ましい実施の形態においては、前記電力変換部は、そのすべてが前記天井面よりも室外側に位置している。
【００１４】
本発明の好ましい実施の形態においては、前記電力変換部は、その一部が前記天井面よりも室外側に位置しており、他の一部が前記天井面よりも室内側に位置している。
【００１５】
本発明の好ましい実施の形態においては、前記電源部は、平面視において前記室内部の中心に重なる。
【００１６】
本発明の好ましい実施の形態においては、前記電源部は、平面視において前記室内部の中心を避けた位置に設けられている。
【００１７】
本発明の好ましい実施の形態においては、前記電力変換部は、前記天井面と直角である方向において、前記接続部と前記室内部との間に位置している。
【００１８】
本発明の好ましい実施の形態においては、前記接続部は、前記電力変換部に対して、移動が阻止された状態で支持されている。
【００１９】
本発明の好ましい実施の形態においては、前記接続部は、前記電力変換部に対して、移動可能に支持されている。
【００２０】
本発明の好ましい実施の形態においては、前記接続部は、ばね部材を介して前記電力変換部に支持されている。
【００２１】
本発明の好ましい実施の形態においては、前記接続部および前記電力変換部は、前記天井面よりも室外側に位置しており、且つ平面視において前記室内部を避けた位置に設けられている。
【００２２】
本発明の好ましい実施の形態においては、前記室内部と前記電力変換部とを接続する接続ケーブルを更に備える。
【００２３】
本発明の好ましい実施の形態においては、前記電力変換部および前記接続部は、平面視において互いに異なる位置において前記室内部に対して各別に固定されている。
【００２４】
本発明の好ましい実施の形態においては、前記電力変換部および前記接続部は、前記室内部の同一直径上において、前記室内部の中心を挟んで互いに反対側に配置されている。
【００２５】
本発明の好ましい実施の形態においては、前記室内部を前記天井面に固定するための一対のねじを有する。
【００２６】
本発明の好ましい実施の形態においては、前記一対のねじは、前記室内部の同一直径上において、前記室内部の中心を挟んで互いに反対側に配置されている。
【００２７】
本発明の好ましい実施の形態においては、前記天井面には、前記電源部を挿通させるための円形の天井貫通孔が形成されている。
【００２８】
本発明の好ましい実施の形態においては、前記天井貫通孔の直径は、前記室内部の直径の１０％〜５０％である。
【００２９】
本発明の好ましい実施の形態においては、前記天井貫通孔の直径は、２５ｍｍ〜５０ｍｍである。
【００３０】
本発明の好ましい実施の形態においては、前記室内部の前記天井面からの突出高さは、前記室内部の直径の５％〜２５％である。
【００３１】
本発明の好ましい実施の形態においては、前記室内部の前記天井面からの突出高さは、１０ｍｍ〜２０ｍｍである。
【００３２】
本発明の好ましい実施の形態においては、前記複数のＬＥＤ発光部が搭載されたＬＥＤ基板を備える。
【００３３】
本発明の好ましい実施の形態においては、前記ＬＥＤ基板は、前記天井面よりも室内側に位置している。
【００３４】
本発明の好ましい実施の形態においては、前記複数のＬＥＤ発光部は、前記ＬＥＤ基板に面実装されている。
【００３５】
本発明の好ましい実施の形態においては、前記複数のＬＥＤ発光部は、同心円状に配置されている。
【００３６】
本発明の好ましい実施の形態においては、前記ＬＥＤ基板は、平面視円形状である。
【００３７】
本発明の好ましい実施の形態においては、前記複数のＬＥＤ発光部は、各々が前記ＬＥＤチップ、このＬＥＤチップを覆う透光樹脂、および実装端子を有する。
【００３８】
本発明の好ましい実施の形態においては、前記透光樹脂は、前記ＬＥＤチップからの光によって励起されることにより前記ＬＥＤチップからの光とは異なる波長の光を発する蛍光材料が混入されている。
【００３９】
本発明の第２の側面によって提供されるＬＥＤ照明装置は、各々がＬＥＤチップを含む複数のＬＥＤ発光部と、第１の面と第２の面とを有し、前記第１の面上に前記複数のＬＥＤ発光部が搭載されたＬＥＤ基板と、前記ＬＥＤ基板の第２の面側に形成され、前記複数のＬＥＤ発光部に電力を供給する電源部と、を備えたＬＥＤ照明装置であって、前記ＬＥＤ基板の第２の面と垂直方向からの平面視において、前記電源部は前記ＬＥＤ基板内に包含されており、前記電源部と少なくとも前記複数のＬＥＤ発光部の一部とが重なっていることを特徴としている。
【００４０】
本発明の好ましい実施の形態においては、前記ＬＥＤ基板を前記第２の面側から保持する主板部と、前記主板部に接続されて前記電源部の少なくとも一部を収容する筒状部と、を備え、前記筒状部は、前記ＬＥＤ基板の第２の面と垂直方向からの平面視において前記電源部を覆い且つ前記基板内に包含されている。
【００４１】
本発明の好ましい実施の形態においては、前記ＬＥＤ発光部からの光を拡散させつつ透過させる透光カバーを備える。
【発明の効果】
【００４２】
本発明によれば、前記電源部の少なくとも一部が前記天井面よりも室外側に配置されており、前記電源部のすべてが前記室内部に含まれる構成とはなっていない。このため、前記室内部が前記天井面から突出する高さを低く抑えることができる。また、前記複数のＬＥＤ発光部は、そのすべてが前記天井面よりも室内側に配置されている。このため、前記天井の前記天井貫通孔は、前記複数のＬＥＤ発光部のすべてを平面視において露出させる大きさとする必要がなく、前記電源部の一部を通過させる大きさに縮小することが可能である。したがって、前記天井貫通孔を縮小しつつ、さらなる薄型化を図ることができる。
【００４３】
本発明のその他の特徴および利点は、添付図面を参照して以下に行う詳細な説明によって、より明らかとなろう。
【図面の簡単な説明】
【００４４】
【図１】本発明の第１実施形態に基づくＬＥＤ照明装置を示す斜視図である。
【図２】図１のＬＥＤ照明装置を示す平面図である。
【図３】図１のＬＥＤ照明装置を示す底面図である。
【図４】図３のＩＶ−ＩＶ線に沿う断面図である。
【図５】図１のＬＥＤ照明装置のＬＥＤ発光部の一例を示す断面図である。
【図６】図１のＬＥＤ照明装置の電源部の一例を示す右側面図である。
【図７】図６の電源部を示す平面図である。
【図８】本発明の第１実施形態に基づくＬＥＤ照明装置の変形例を示す断面図である。
【図９】本発明の第２実施形態に基づくＬＥＤ照明装置を示す平面図である。
【図１０】図９のＬＥＤ照明装置を示す底面図である。
【図１１】図１０のＸ−Ｘ線に沿う断面図である。
【図１２】本発明の第３実施形態に基づくＬＥＤ照明装置を示す平面図である。
【図１３】図１２のＬＥＤ照明装置を示す底面図である。
【図１４】図１３のＸＩＶ−ＸＩＶ線に沿う断面図である。
【図１５】本発明の第４実施形態に基づくＬＥＤ照明装置を示す底面図である。
【図１６】図１５のＸＶＩ−ＸＶＩ線に沿う断面図である。
【図１７】本発明の第５実施形態に基づくＬＥＤ照明装置を示す底面図である。
【図１８】図１７のＸＶＩＩＩ−ＸＶＩＩＩ線に沿う断面図である。
【図１９】本発明の第６実施形態に基づくＬＥＤ照明装置を示す底面図である。
【図２０】図１９のＸＸ−ＸＸ線に沿う断面図である。
【図２１】本発明の第７実施形態に基づくＬＥＤ照明装置を示す底面図である。
【図２２】図２１のＸＸＩＩ−ＸＸＩＩ線に沿う断面図である。
【図２３】図２１のＸＸＩＩＩ−ＸＸＩＩＩ線に沿う断面図である。
【発明を実施するための形態】
【００４５】
以下、本発明の好ましい実施の形態につき、図面を参照して具体的に説明する。
【００４６】
図１〜図４は、本発明の第１実施形態に基づくＬＥＤ照明装置を示している。本実施形態のＬＥＤ照明装置Ａ１は、ケース１、複数のＬＥＤ発光部２、ＬＥＤ基板２７、透光カバー３および電源部５を備えている。ＬＥＤ照明装置Ａ１は、天井８の天井面８１に対して固定され、室内を照らす照明装置である。
【００４７】
図１は、ＬＥＤ照明装置Ａ１を示す斜視図である。図２は、ＬＥＤ照明装置Ａ１を示す平面図である。図３は、ＬＥＤ照明装置Ａ１を示す底面図である。図４は、図３のＩＶ−ＩＶ線に沿う断面図である。
【００４８】
なお、以降の説明においては、天井面８１に対して直角である方向における室内側を「下」側、室外側を「上」側と称する場合がある。ただし、これは、本発明に係るＬＥＤ照明装置と鉛直方向との関係を限定するものではない。
【００４９】
ケース１は、複数のＬＥＤ発光部２、ＬＥＤ基板２７、透光カバー３および電源部５を収容し、且つこれらを支持するものである。ケース１の構成は特に限定されないが、本実施形態においては、ケース１は、金属部１１および樹脂部１２からなる。
【００５０】
金属部１１は、たとえばアルミなどの金属からなる。本実施形態の金属部１１は、主板部１１１および筒状部１１２を有する。主板部１１１は、平面視円形状の板状部分であり、天井８の天井面８１よりも室内側に位置している。筒状部１１２は、主板部１１１に設けられた貫通孔に繋がっている。より具体的には、筒状部１１２は、前記貫通孔から室外側に向かう方向を中心軸とする円筒部分１１２１と、この円筒部分１１２１の室外側端を塞ぐ底板部分１１２２とを有する。これにより、本実施形態においては、筒状部１１２は、有底円筒形状である。ただし、筒状部１１２は、底板部分１１２２を有さない構成でもよく、たとえば角筒形状であってもよい。また、筒状部１１２は、天井８との関係において、天井８の天井面８１よりも室内側に位置する第１部１１２ａ、天井８の天井面８１と天井裏面８２との間に位置する第２部１１２ｂ、および天井裏面８２よりも室外側に位置する第３部１１２ｃを有している。なお、図４においては、第１部１１２ａ、第２部１１２ｂおよび第３部１１２ｃのそれぞれを囲む点線を記載している。隣り合う点線の境界を若干離間させているが、これは理解の便宜であり、第１部１１２ａ、第２部１１２ｂおよび第３部１１２ｃは、天井面８１および天井裏面８２との相対関係で区画されるものである。この点は、以降の図面においても同様である。
【００５１】
樹脂部１２は、金属部１１の主板部１１１を囲んでおり、平面視円環形状である。樹脂部１２は、たとえばプラスチックなどの樹脂からなる。
【００５２】
また、本実施形態においては、ケース１の金属部１１の主板部１１１と天井８の天井面８１との隙間に、断熱部材７１が設けられている。断熱部材７１は、たとえばグラスウールに代表される繊維系断熱材料や発泡スチロールに代表される多孔質系断熱材料からなる。このような構成により、天井８を介した室内外の温度差に起因する熱の移動を抑制することができる。天井８に天井貫通孔８３を設けることは、このような熱移動の抑制には不利であるが、断熱部材７１を採用することにより、過大な室温変化を回避することができる。なお、ＬＥＤ照明装置Ａ１において、断熱部材７１を設けない構成を採用してもよく、これは、以降に説明する実施形態においても同様である。
【００５３】
複数のＬＥＤ発光部２は、ＬＥＤ照明装置Ａ１の光源をなす構成要素である。図５は、本実施形態のＬＥＤ発光部２を示す拡大断面図である。ＬＥＤ発光部２は、ＬＥＤチップ２１、一対のリード２２、ケース２３および透光樹脂２４を具備している。
【００５４】
ＬＥＤチップ２１は、たとえばＧａＮ系半導体からなり、たとえば青色光を発する。透光樹脂２４は、ＬＥＤチップ２１を覆っており、たとえば透明樹脂に蛍光材料が混入された材質からなる。この蛍光材料は、ＬＥＤチップ２１からの青色光によって励起されることにより黄色光を発する。この蛍光材料の種類および濃度は、ＬＥＤチップ２１からの青色光とこの蛍光材料からの黄色光とが混色することにより昼白色などの白色を呈するように調整されている。
【００５５】
一対のリード２２は、ＬＥＤチップ２１を支持し、かつＬＥＤチップ２１への導通経路となるものであり、たとえばＣｕ合金などからなる。一対のリード２２の図中下面が、本発明で言う実装端子を構成する。ＬＥＤ発光部２は、ＬＥＤ基板２７に面実装によって搭載されている。
【００５６】
ケース２３は、たとえば白色樹脂からなり、ＬＥＤチップ２１を囲む枠状である。ケース２３の内側面は、ＬＥＤチップ２１からの光を反射することによりこの光を出射させるリフレクタとして機能している。
【００５７】
ＬＥＤ基板２７は、複数のＬＥＤ発光部２が搭載された基板である。このようなＬＥＤ基板２７の一例としては、ガラスエポキシ樹脂からなる基材と、この基材上に形成された配線パターンとを有する構成が挙げられる。図４に示すように、ＬＥＤ基板２７は、天井面８１よりも室内側に位置している。ＬＥＤ基板２７は、第１の面２７１および第２の面２７２を有している。第１の面２７１は、第２の面２７２に対して室内側に位置する。複数のＬＥＤ発光部２は、ＬＥＤ基板２７の第１の面２７１に面実装されている。複数のＬＥＤ発光部２は、平面視において同心円状に配置されている。ＬＥＤ基板２７は、平面視円形状である。ＬＥＤ基板２７は、ケース１の金属部１１の主板部１１１の周端に取り付けられており、第２の面２７２側から主板部１１１に保持されている。また、ＬＥＤ基板２７は、平面視において主板部１１１と重なっており、主板部１１１と同じか若干小さい大きさである。本実施形態においては、平面視においてＬＥＤ基板２７の中心と金属部１１の筒状部１１２の中心とが略一致している。また、平面視において、ＬＥＤ基板２７の面積は天井貫通孔８３の面積よりも大であり、ＬＥＤ基板２７の径は天井８の天井貫通孔８３の径よりも大であり、ＬＥＤ基板２７の面積は、電力変換部５２の面積よりも大である。これにより、給電ケーブル８９とＬＥＤ基板２７とを結ぶ天井貫通孔８３を小さくしつつも、ＬＥＤ発光部２の配置面積を確保することが可能であり、より高い輝度を実現できる。複数のＬＥＤ発光部２およびＬＥＤ基板２７は、天井８の天井面８１よりも室内側に位置している。なお、ＬＥＤ基板２７は、平面視円形状に限定されず、たとえば平面視矩形状であってもよい。また、天井貫通孔８３は、平面視円形状に限定されず、たとえば平面視矩形状であってもよい。
【００５８】
透光カバー３は、複数のＬＥＤ発光部２からの光を透過させるものであり、平面視において複数のＬＥＤ発光部２を覆っている。また、本実施形態においては、透光カバー３は、複数のＬＥＤ発光部２からの光を拡散させつつ透過させる。このような透光カバー３としては、たとえば半透明な乳白色の樹脂からなるものが一例として挙げられる。透光カバー３は、平面視円形状であり、ケース１の樹脂部１２によって支持されている。
【００５９】
ここで、ＬＥＤ照明装置Ａ１の外観のうち天井面８１よりも室内側においてＬＥＤ照明装置Ａ１の外観を構成する部位を室内部４と称する。室内部４は、ケース１のうち天井面８１よりも室内側に位置する部分と透光カバー３とを含む。本実施形態においては、ケース１のうち室内部４を構成する部位に相当するものは、樹脂部１２である。ただし、金属部１１の一部が樹脂部１２から露出することにより、金属部１１の一部が室内部４を構成してもよい。本実施形態においては、室内部４は、平面視円形状である。
【００６０】
電源部５は、複数のＬＥＤ発光部２に電力を供給するためのものである。本実施形態においては、電源部５は、接続部５１および電力変換部５２を有する。電源部５は、ＬＥＤ基板２７の第２の面２７２側に形成されている。また、電源部５は、ＬＥＤ基板２７の第２の面２７２と垂直方向からの平面視において、ＬＥＤ基板２７内に包含されている。また、電源部５は、平面視において、金属部１１の筒状部１１２によって覆われている。
【００６１】
接続部５１は、外部の電源供給経路である給電ケーブル８９との接続がなされる部位である。本実施形態においては、接続部５１は、支持部材５１１およびコネクタ５１２を有する。コネクタ５１２は、給電ケーブル８９と直接的に接続される部位であり、たとえば汎用のコネクタが用いられる。支持部材５１１は、コネクタ５１２を支持する部位である。
【００６２】
本実施形態においては、支持部材５１１は、ケース１の金属部１１の筒状部１１２の底板部分１１２２に対して室外側(上側)に取り付けられており、筒状部１１２の直上に位置している。また、コネクタ５１２には、給電ケーブル８９が直上から差し込まれる構成となっている。
【００６３】
電力変換部５２は、接続部５１にて受けた電力を、複数のＬＥＤ発光部２に適した電力に変換するためのものであり、たとえば、入力された交流電力を、定電流の直流電力に変換する。図６は、電源部５を示す右側面図であり、図７は、電源部５を示す平面図である。なお、図６は、図７におけるＶＩ線方向からみた図である。電力変換部５２の仕様の一例を挙げると、定格入力電圧が１００Ｖ程度、定格出力電流が１００ｍＡ程度、定格出力電圧が２７Ｖ〜４７Ｖである。
【００６４】
本実施形態の電力変換部５２は、電源基板５２１および複数の電子素子５２２を有する。
【００６５】
電源基板５２１は、複数の電子素子５２２が実装される基板である。本実施形態においては、電源基板５２１は、平面視円形状とされている。電源基板５２１の直径は、たとえば２５ｍｍ〜３０ｍｍである。
【００６６】
複数の電子素子５２２は、電力変換部５２が果たすべき電力変換機能を実現する電気回路を構成する素子である。本実施形態においては、複数の電子素子５２２は、コンデンサ５２３、ダイオード５２４、ヒューズ５２５、ＩＣ５２６、コイル５２７、チップ抵抗５２８、トランス５２９およびバリスタ５３０を含む。また、複数の電子素子５２２は、整流ダイオードブリッジ（図示略）を含む。
【００６７】
コンデンサ５２３は、容量がたとえば６．８μＦおよび３３μＦ程度である。ダイオード５２４は、ファストリカバリーダイオードであり、直流逆方向電圧が４００Ｖ程度、平均整流電流が１Ａ程度である。ヒューズ５２５は、容量が１．５Ａ程度である。ＩＣ５２６は、ＭＯＳＦＥＴが内蔵されており、電力変換制御を行う。コイル５２７は、容量が１．５ｍＨ程度とされた面実装コイルである。チップ抵抗５２８は、抵抗値が７５ｋΩ〜５１０ｋΩ程度である。トランス５２９は、いわゆる変圧機能を果たす素子である。バリスタ５３０は、いわゆる非直線性抵抗素子であり、耐圧が４７０Ｖ程度である。
【００６８】
また、電力変換部５２は、２つの入力端子５３１および２つの出力端子５３２を有している。２つの入力端子５３１は、外部からの交流電力が入力される端子である。２つの出力端子５３２は、ＬＥＤ基板２７を介して複数のＬＥＤ発光部２へと直流電力が出力される端子である。
【００６９】
図４に示すように、電源基板５２１および複数の電子素子５２２は、ケース１の金属部１１の筒状部１１２に収容されている。本実施形態においては、接続部５１は、その全てが天井８の天井面８１よりも室外側に位置している。電力変換部５２は、その全てが天井８の天井面８１よりも室外側に位置している。また、電力変換部５２の一部は、天井８の天井裏面８２よりも室外側に位置している。図３に示すように、電源部５は、平面視において室内部４の中心に重なる位置に設けられている。本実施形態においては、接続部５１と電力変換部５２とは、接続ケーブル５７１を介して接続されている。また、電力変換部５２とＬＥＤ基板２７とは、接続ケーブル５７２を介して接続されている。
【００７０】
天井８には、天井貫通孔８３が設けられている。天井貫通孔８３は、ケース１の金属部１１の筒状部１１２、すなわち電源部５を天井面８１よりも室外側に位置させるためのものである。本実施形態においては、天井貫通孔８３は、平面視円形状である。
【００７１】
一対のねじ６は、ＬＥＤ照明装置Ａ１を天井面８１に固定するためのものである。より具体的には、一対のねじ６は、ケース１の金属部１１の主板部１１１を天井面８１に対して固定することにより、ＬＥＤ照明装置Ａ１を天井面８１に固定している。一対のねじ６は、室内部４の同一直径上において、室内部４の中心を挟んで互いに反対側に配置されている。
【００７２】
ＬＥＤ照明装置Ａ１の主要寸法の好ましい例を挙げる。室内部４の直径Ｄ１は、７０ｍｍ〜３００ｍｍである。天井８の天井貫通孔８３の直径Ｄ２は、２５ｍｍ〜５０ｍｍである。直径Ｄ２は、直径Ｄ１の１０％〜５０％である。また室内部４の天井面８１からの高さＨは、１０ｍｍ〜２０ｍｍである。高さＨは、直径Ｄ１の５％〜２５％である。なお、これらの寸法および比率が好ましい点は、後述する変形例および実施形態においても同様である。
【００７３】
次に、ＬＥＤ照明装置Ａ１の作用について説明する。
【００７４】
本実施形態によれば、電源部５の少なくとも一部が天井面８１よりも室外側に配置されており、電源部５のすべてが室内部４に含まれる構成とはなっていない。このため、室内部４が天井面８１から突出する高さＨを低く抑えることができる。また、複数のＬＥＤ発光部２は、そのすべてが天井面８１よりも室内側に配置されている。このため、天井８の天井貫通孔８３は、複数のＬＥＤ発光部２のすべてを平面視において露出させる大きさとする必要がなく、電源部５の一部を通過させる大きさに縮小することが可能である。したがって、天井貫通孔８３を縮小しつつ、室内部４のさらなる薄型化を図ることができる。
【００７５】
接続部５１および電力変換部５２のすべてが、天井面８１よりも室外側に位置することにより、室内部４には、電源部５が全く含まれていない。これは、室内部４の薄型化に好ましい。
【００７６】
透光カバー３が、複数のＬＥＤ発光部２からの光を拡散させることにより、透光カバー３と複数のＬＥＤ発光部２との距離を縮小しつつ、複数のＬＥＤ発光部２の各々が外観に明瞭に現れることを抑制することができる。
【００７７】
電源部５が、平面視において室内部４の中心と重なる位置に設けられている。これにより、天井８に天井貫通孔８３を開口する際に、ＬＥＤ照明装置Ａ１を取り付けようとする中心位置に天井貫通孔８３を設ければよい。これは、工事作業の簡便化に好ましい。
【００７８】
接続部５１と電力変換部５２とが上下に位置する関係であることにより、天井貫通孔８３をより縮小することができる。
【００７９】
一対のねじ６は、電源部５を挟んで互いに反対側に位置している。これにより、一対のねじ６と電源部５とが干渉することを回避しつつ、ＬＥＤ照明装置Ａ１を天井面８１により確実に固定することができる。
【００８０】
天井８の天井貫通孔８３の直径Ｄ２が、２５ｍｍ〜５０ｍｍであるとともに、直径Ｄ２が、直径Ｄ１の１０％〜５０％であることにより、天井貫通孔８３を設けることによる断熱機能の低下を抑制するとともに、室内を十分に照らすことができる大きさに室内部４を設定することができる。また室内部４の天井面８１からの高さＨが、１０ｍｍ〜２０ｍｍであるとともに、直径Ｄ１の５％〜２５％であることにより、いわゆるダウンライトと同様の外観を達成することができる。
【００８１】
図８〜図２３は、本発明の変形例および他の実施形態を示している。なお、これらの図において、上記実施形態と同一または類似の要素には、上記実施形態と同一の符号を付しており、これ以降の説明を適宜省略する。
【００８２】
図８は、ＬＥＤ照明装置Ａ１の変形例を示している。本変形例のＬＥＤ照明装置Ａ１は、ケース１、複数のＬＥＤ発光部２、ＬＥＤ基板２７、透光カバー３および電源部５を備えている。本変形例においては、電源部５の一部が天井面８１よりも室外側に位置しており、他の一部が天井面８１よりも室内側に位置している。より具体的には、接続部５１は、その全体が天井面８１よりも室外側に位置しており、さらに天井裏面８２よりも室外側に位置している。一方、電力変換部５２は、天井貫通孔８３を介して、室内外に亘って配置されている。より具体的には、電源部５の電力変換部５２の電源基板５２１が天井面８１よりも室内側に位置している。また、電力変換部５２の電子素子５２２の一部は、天井裏面８２よりも室外側に位置している。このような変形例によっても、天井貫通孔８３を縮小しつつ、室内部４のさらなる薄型化を図ることができる。このような変形例は、以下に述べる実施形態にも適宜採用することができる。
【００８３】
図９〜図１１は、本発明の第２実施形態に基づくＬＥＤ照明装置を示している。本実施形態のＬＥＤ照明装置Ａ２は、ケース１、複数のＬＥＤ発光部２、ＬＥＤ基板２７、透光カバー３および電源部５を備えている。ＬＥＤ照明装置Ａ２は、電源部５の構成が上述した実施形態と異なっている。
【００８４】
図９は、ＬＥＤ照明装置Ａ２を示す平面図である。図１０は、ＬＥＤ照明装置Ａ２を示す底面図である。図１１は、図１０のＸＩ−ＸＩ線に沿う断面図である。
【００８５】
本実施形態の電源部５は、ばね部材５５を有している。ばね部材５５は、電力変換部５２（金属部１１の筒状部１１２）に対して接続部５１を移動可能に固定するためのものである。本実施形態においては、ばね部材５５は、屈曲形状に折り曲げ加工が施された板ばねからなる。ばね部材５５を有することにより、図１１に示すように、接続部５１は、電力変換部５２に対して回動可能とされている。このような実施形態によっても、天井貫通孔８３を縮小しつつ、室内部４のさらなる薄型化を図ることができる。また、電力変換部５２に接続された給電ケーブル８９が延びる方向を水平方向や鉛直方向に任意に設定することができる。
【００８６】
図１２〜図１４は、本発明の第３実施形態に基づくＬＥＤ照明装置を示している。本実施形態のＬＥＤ照明装置Ａ３は、ケース１、複数のＬＥＤ発光部２、ＬＥＤ基板２７、透光カバー３および電源部５を備えている。ＬＥＤ照明装置Ａ３は、電源部５の構成が上述した実施形態と異なっている。
【００８７】
図１２は、ＬＥＤ照明装置Ａ３を示す平面図である。図１３は、ＬＥＤ照明装置Ａ３を示す底面図である。図１４は、図１３のＸＩＶ−ＸＩＶ線に沿う断面図である。
【００８８】
本実施形態においては、電源部５が、平面視において室内部４の中心を避けた位置に設けられている。また、一対のねじ６は、電源部５に対して周方向において９０度ずれた方位にそれぞれ配置されている。このような実施形態によっても、天井貫通孔８３を縮小しつつ、室内部４のさらなる薄型化を図ることができる。また、電源部５が、平面視において室内部４の中心を避けて配置されていることにより、天井８の梁などが室内部４の中心を通る配置とすることが可能である。これは、ＬＥＤ照明装置Ａ３をより安定して支持するのに適している．また、一対のねじ６を固定すべき天井８の梁などと電源部５との干渉を回避することができる。
【００８９】
図１５および図１６は、本発明の第４実施形態に基づくＬＥＤ照明装置を示している。本実施形態のＬＥＤ照明装置Ａ４は、ケース１、複数のＬＥＤ発光部２、ＬＥＤ基板２７、透光カバー３および電源部５を備えている。ＬＥＤ照明装置Ａ４は、電源部５の構成が上述した実施形態と異なっている。
【００９０】
図１５は、ＬＥＤ照明装置Ａ４を示す底面図である。図１６は、図１５のＸＶＩ−ＸＶＩ線に沿う断面図である。
【００９１】
本実施形態においては、電源部５は、平面視において室内部４の中心を避けた位置に設けられている。また、電源部５は、接続部５１と電力変換部５２との間に介在するばね部材５５を有している。このような実施形態によっても、天井貫通孔８３を縮小しつつ、室内部４のさらなる薄型化を図ることができる。
【００９２】
図１７および図１８は、本発明の第５実施形態に基づくＬＥＤ照明装置を示している。本実施形態のＬＥＤ照明装置Ａ５は、ケース１、複数のＬＥＤ発光部２、ＬＥＤ基板２７、透光カバー３および電源部５を備えている。ＬＥＤ照明装置Ａ５は、電源部５の構成が上述した実施形態と異なっている。
【００９３】
図１７は、ＬＥＤ照明装置Ａ５を示す底面図である。図１８は、図１７のＸＶＩＩＩ−ＸＶＩＩＩ線に沿う断面図である。
【００９４】
本実施形態においては、電源部５は、平面視において室内部４全体を避けた位置に設けられている。電源部５の電力変換部５２とＬＥＤ基板２７とは、接続ケーブル５６によって接続されている。また、接続部５１と電力変換部５２とは、水平方向に並べられている。このような実施形態によっても、天井貫通孔８３を縮小しつつ、室内部４のさらなる薄型化を図ることができる。また、電源部５を一対のねじ６から大きく離間させることが可能である。これにより、天井８の梁８４に一対のねじ６を取り付ける際に、電源部５と梁８４とが干渉することを確実に防止することができる。
【００９５】
図１９および図２０は、本発明の第６実施形態に基づくＬＥＤ照明装置を示している。本実施形態のＬＥＤ照明装置Ａ６は、ケース１、複数のＬＥＤ発光部２、ＬＥＤ基板２７、透光カバー３および電源部５を備えている。ＬＥＤ照明装置Ａ６は、電源部５の構成が上述した実施形態と異なっている。
【００９６】
図１９は、ＬＥＤ照明装置Ａ６を示す底面図である。図２０は、図１９のＸＸ−ＸＸ線に沿う断面図である。
【００９７】
本実施形態においては、接続部５１と電力変換部５２とは、平面視において室内部４の中心を挟んで互いに反対側に配置されている。また、これに対応して、天井８には、２つの天井貫通孔８３が設けられている。一方の天井貫通孔８３には、接続部５１が挿通されており、他方の天井貫通孔８３には、電力変換部５２が挿通されている。このような実施形態によっても、天井貫通孔８３を縮小しつつ、室内部４のさらなる薄型化を図ることができる。また、接続部５１および電力変換部５２が梁８４と干渉することを回避することができる。
【００９８】
図２１〜図２３は、本発明の第７実施形態に基づくＬＥＤ照明装置を示している。本実施形態のＬＥＤ照明装置Ａ７は、ケース１、複数のＬＥＤ発光部２、ＬＥＤ基板２７、透光カバー３および電源部５を備えている。ＬＥＤ照明装置Ａ７は、天井８への固定機構が上述した実施形態と異なっている。
【００９９】
図２１は、ＬＥＤ照明装置Ａ６を示す底面図である。図２２は、図２１のＸＸＩＩ−ＸＸＩＩ線に沿う断面図である。図２２は、図２１のＸＸＩＩ−ＸＸＩＩ線に沿う断面図である。図２３は、図２１のＸＸＩＩＩ−ＸＸＩＩＩ線に沿う断面図である。
【０１００】
本実施形態においては、ＬＥＤ照明装置Ａ７は、２つの固定ばね６１によって天井８に固定されている。２つの固定ばね６１は、ケース１の金属部１１の筒状部１１２に固定されており、図２１に示すように、筒状部１１２の径方向外方両側に延出している。固定ばね６１は、たとえばばね鋼からなる帯板を折り曲げ加工することによって形成されている。図２２において、想像線で示す２つの固定ばね６１は、弾性力を発揮していない自然状態を示している。ＬＥＤ照明装置Ａ７を天井８に取り付ける際には、２つの固定ばね６１を変形させ、電源部５および金属部１１の筒状部１１２に添わせる。そして、電源部５および筒状部１１２と２つの固定ばね６１とを天井８の天井貫通孔８３に挿通させる。２つの固定ばね６１を図２２に示す状態まで挿入すると、２つの固定ばね６１は、互いに離間するように変形する。図２２において実線で示す２つの固定ばね６１は、挿入が完了した状態を示している。広がった形態となった２つの固定ばね６１は、ＬＥＤ照明装置Ａ７が天井８に対して室内側（下側）に移動することを阻止する機能を果たす。これにより、ＬＥＤ照明装置Ａ７が天井８に対して固定される。
【０１０１】
本発明に係るＬＥＤ照明装置は、上述した実施形態に限定されるものではない。本発明に係るＬＥＤ照明装置の各部の具体的な構成は、種々に設計変更自在である。
【符号の説明】
【０１０２】
Ａ１〜Ａ７      ＬＥＤ照明装置
Ｄ１，Ｄ２      直径
Ｈ      高さ
１      ケース
１１      金属部
１１１      主板部
１１２      筒状部
１１２ａ    第１部
１１２ｂ    第２部
１１２ｃ    第３部
１１２１      円筒部分
１１２２      底板部分
１２      樹脂部
２      ＬＥＤ発光部
２１      ＬＥＤチップ
２２      リード
２３      ケース
２４      透光樹脂
２７      ＬＥＤ基板
２７１      第１の面
２７２      第２の面
３      透光カバー
４      室内部
５      電源部
５１      接続部
５１１      支持部材
５１２      コネクタ
５２      電力変換部
５２１      電源基板
５２２      電子素子
５２３      コンデンサ
５２４      ダイオード
５２５      ヒューズ
５２６      ＩＣ
５２７      コイル
５２８      チップ抵抗
５２９      トランス
５３０      バリスタ
５３１      入力端子
５３２      出力端子
５５      ばね部材
５６      接続ケーブル
５７１      接続ケーブル
５７２      接続ケーブル
６      ねじ
６１      固定ばね
７１      断熱部材
８      天井
８１      天井面
８２      天井裏面
８３      天井貫通孔
８４      梁
８９      給電ケーブル
【図１】
2016219335.tif 000003
【図２】
2016219335.tif 000004
【図３】
2016219335.tif 000005
【図４】
2016219335.tif 000006
【図５】
2016219335.tif 000007
【図６】
2016219335.tif 000008
【図７】
2016219335.tif 000009
【図８】
2016219335.tif 000010
【図９】
2016219335.tif 000011
【図１０】
2016219335.tif 000012
【図１１】
2016219335.tif 000013
【図１２】
2016219335.tif 000014
【図１３】
2016219335.tif 000015
【図１４】
2016219335.tif 000016
【図１５】
2016219335.tif 000017
【図１６】
2016219335.tif 000018
【図１７】
2016219335.tif 000019
【図１８】
2016219335.tif 000020
【図１９】
2016219335.tif 000021
【図２０】
2016219335.tif 000022
【図２１】
2016219335.tif 000023
【図２２】
2016219335.tif 000024
【図２３】
2016219335.tif 000025